(57)【要約】      （修正有）【課題】雨天のゴルフプレー時に、ゴルフクラブのグリップに設置でき、雨濡れ防止可能なグリップカバーを提供する。【解決手段】一対の半割カバー体Ｃ１，Ｃ２、蝶番部Ｈ、及び雄雌一対の留め具Ｔ１，Ｔ２から構成されたグリップカバー具１００において、一対の半割カバー体Ｃ１，Ｃ２は、それぞれ半割テーパ管の形状をしており、蝶番部Ｈを介して開閉可能であり、雄雌一対の留め具により、一対の半割カバー体を、ワンタッチで簡単に装着したり脱着したりすることを可能として、グリップカバー具を構成する。また一対の半割カバー体の内側に、吸水シートを内張りしてもよい。【選択図】図３
0003155544.tif 000002
【実用新案登録請求の範囲】
【請求項１】
一対の半割カバー体、蝶番部、及び雄雌一対の留め具から構成されたグリップカバー具において、一対の半割カバー体は、それぞれ半割テーパ管の形状をしており、蝶番部を介して開閉可能であり、雄雌一対の留め具により、一対の半割カバー体を、ワンタッチで簡単に装着したり脱着したりすることが可能であることを特徴とするグリップカバー具。
【請求項２】
一対の半割カバー体の内側に、吸水シートを内張りしてあることを特徴とする請求項１に記載されたグリップカバー具。
【請求項３】
一対の半割カバー体、蝶番部、及び雄雌一対の留め具が、一体成形されていることを特徴とする請求項１〜２の何れかに記載されたグリップカバー具。
【請求項４】
一対の半割カバー体の内側に、補強リブ体が長手方向に沿って設けられていることを特徴とする請求項１〜３の何れかに記載されたグリップカバー具。
【考案の詳細な説明】
【技術分野】
【０００１】
（１）本考案は、雨天のゴルフプレー時に、ゴルフクラブのグリップに装着でき、雨濡れ防止可能なグリップカバー具に関する。
（２）雨天のゴルフプレー時に、予めグリップカバーを使用するクラブに装着しておき、そのクラブを使用する際には、グリップカバーを外してボールを打つが、当然グリップが濡れてしまう。
本考案は、ボールを打った後、グリップカバーを再度装着することにより、
雨天で濡れたグリップを瞬間的に乾かすことができるグリップカバーに関する。
（３）本考案は、雨天のゴルフプレー時に、ゴルフクラブのグリップに設置でき、雨濡れ防止可能な、コストの安いグリップカバーに関する。
【背景技術】
【０００２】
降雨時のゴルフプレーで使用クラブを選択する場合、２〜３本のクラブをキャディーバッグから抜き出してボールの落下地点まで持って行き、その中から選択したクラブでボールを打ち、それ以外のクラブは近くの地面や芝の上に不可避的にグリップが雨に濡れたままで放置されることになる。
考案者が、特許電子図書館で従来公知技術を検索・調査したところ、ゴルフクラブのグリップの雨濡れ防止対策を講じた先行技術を発見することができなかった。
したがって、特許文献については、先行技術を発見することができなかったので記載を省略する。
考案者は、ゴルフクラブのグリップの雨濡れ防止対策に関する課題を種々検討した結果、発明が解決しようとする課題を発見したので、以下の通り記載することとする。
【考案の開示】
【考案が解決しようとする課題】
【０００３】
○本考案が解決しようとする第１課題
本考案が解決しようとする第１課題は、雨天のゴルフプレー時に、ゴルフクラブのグリップに設置でき、雨濡れ防止可能なグリップカバーを提供することである。
○本考案が解決しようとする第２課題
本考案が解決しようとする第２課題は、ボールを打った後、グリップカバーを再度装着することにより、雨天で濡れたグリップを瞬間的に乾かすことができるグリップカバーを提供することである。
○本考案が解決しようとする第３課題
本考案が解決しようとする第３課題は、雨天のゴルフプレー時に、ゴルフクラブのグリップに設置でき、雨濡れ防止可能な、コストの安いグリップカバーを提供することである。
【課題を解決するための手段】
【０００４】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○グリップカバー具とは、雨天のゴルフプレー時におけるゴルフクラブのグリップの雨濡れ防止対策として、グリップを雨に濡れないようにカバーする道具であって、グリップカバー具は、一対の半割カバー体、蝶番部、及び雄雌一対の留め具から構成される。
○半割りカバー体とは、ゴルフクラブのグリップを被覆するためのカバー体であり、半割テーパ管の形状をしたものである。半割カバー体の内側に、吸水シートを内張りしてあることが望ましい。
また、半割カバー体の内側に、補強リブ体が長手方向に沿って設けられていることが望ましい。補強リブ体は、半割カバー体に作用する曲げ力に耐えるように半割カバー体を強度的に補強する効果がある。
半割りカバー体の内側は、グリップ外面と密着するように、半割りカバー体の内面形状が形成されていることが望ましい。半割りカバー体の内側とグリップ外面と密着することにより、雨がスキマから浸入するのを防止できるからである。
○蝶番部とは、一対の半割カバー体を自由に開閉するためのものである。
可撓シートにより、簡単な構造で構成され安価な蝶番部を提供することが可能となっている（図1（ｃ）、図２（ｂ）、図３（ａ）、図２（ｂ）、図４（ａ））。
○留め具とは、グリップカバー具をゴルフクラブのグリップに装着する際、外れたりしないようにするものである。
本願明細書では、留め具は、雄雌一対の留め具により構成され、一対の半割カバー体を、ワンタッチで簡単に装着したり脱着したりすることが可能である。
○雄留め具とは、雄雌一対の留め具の構成要素である。
○雌留め具とは、雄雌一対の留め具の構成要素である。
○リブ体とは、一対の半割カバー体の内側に、長手方向に沿って設けられている複数の補強体をいう。
○吸水シートとは、一対の半割カバー体の内側に、内張りされたシートをいう。
雨天のゴルフプレー時に、ボールを打った後、グリップカバーを再度装着することにより、雨天で濡れたグリップを瞬間的に乾かすことが可能となる。
○系止突起とは、雄留め具の構成要素であって、系止突起を系止穴に挿入することにより、一対の半割カバー体を、ワンタッチで簡単に装着したり脱着したりすることが可能になる。
○系止穴とは、雌留め具の構成要素であって、系止突起を系止穴に挿入することにより、一対の半割カバー体を、ワンタッチで簡単に装着したり脱着したりすることが可能になる。
○射出成形法とは、プラスチック（熱可塑性樹脂の場合が典型的であるが、）等の加工法である。軟化温度に加熱したプラスチックを、射出圧（１０〜３０００ｋｇｆ／ｃ）を加えて金型に充填して成形する一般的方法である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案者は、上記の従来技術の各種問題点に鑑み、鋭意検討を重ねて、本考案を完成したものである。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、一対の半割カバー体、蝶番部、及び雄雌一対の留め具から構成されたグリップカバー具において、一対の半割カバー体は、それぞれ半割テーパ管の形状をしており、蝶番部を介して開閉可能であり、雄雌一対の留め具により、一対の半割カバー体を、ワンタッチで簡単に装着したり脱着したりすることを特徴としている。
○第２の考案（請求項２に記載の考案）
上記の課題を解決するための第２の考案（請求項２に記載の考案）は、一対の半割カバー体の内側に、吸水シートを内張りしてあることを特徴としている。
○第３の考案（請求項３に記載の考案）
上記の課題を解決するための第３の考案（請求項３に記載の考案）は、一対の半割カバー体、蝶番部、及び雄雌一対の留め具が、一体成形されていることを特徴としている。
○第４の考案（請求項４に記載の考案）
上記の課題を解決するための第４の考案（請求項４に記載の考案）は、一対の半割カバー体の内側に、補強リブ体が長手方向に沿って設けられていることを特徴としている。
【考案の効果】
【０００５】
本考案に係る、グリップカバー具は、上記のような特徴的構成用件から構成され、特徴的構成用件に応じた、以下のような本願考案特有の効果を奏する。
また、上記のような特徴的構成用件から構成されたグリップカバー具によれば、本願考案の課題を十分解消することができた。
○第１の考案の効果
第１の考案によれば、一対の半割カバー体、蝶番部、及び雄雌一対の留め具から構成されたグリップカバー具において、一対の半割カバー体は、それぞれ半割テーパ管の形状をしており、蝶番部を介して開閉可能であり、雄雌一対の留め具により、一対の半割カバー体を、ワンタッチで簡単に装着したり脱着したりすることという特徴的な構成要件により、
本考案が解決しようとする第１課題〜第３課題を達成することができ、当業者予測不可能な顕著な効果を奏することができた。
○第２の考案の効果
第２の考案によれば、一対の半割カバー体、蝶番部、及び雄雌一対の留め具が、一体成形されていることという特徴的な構成要件により、
本考案が解決しようとする第１課題〜第３課題を達成することができ、当業者予測不可能な顕著な効果を奏することができた。
○第３の考案の効果
第３の考案によれば、一対の半割カバー体、蝶番部、及び雄雌一対の留め具が、一体成形されていることという特徴的な構成要件により、
本考案が解決しようとする第１課題〜第３課題を達成することができ、当業者予測不可能な顕著な効果を奏することができた。
○第４の考案の効果
第４の考案によれば、一対の半割カバー体の内側に、補強リブ体が長手方向に沿って設けられていることという特徴的な構成要件により、
本考案が解決しようとする第１課題〜第３課題を達成することができ、さらに、補強リブ体は、半割カバー体に作用する曲げ力に耐えるように半割カバー体を強度的に補強するという当業者予測不可能な顕著な効果を奏することができた。
【考案を実施するための最良の形態】
【０００６】
以下、本考案に係る、グリップカバー具に関する最良の実施形態について、図面を参照しながら説明する。
［図１］
図１（ａ）は、本考案に係る、閉じた状態のグリップカバー具の平面図である。  
図１（ｂ）は、本考案に係る、閉じた状態のグリップカバー具の正面図である。  
図１（ｃ）は、本考案に係る、閉じた状態のグリップカバー具の底面図である。
［図２］  
図２（ａ）は、本考案に係る、開いた状態のグリップカバー具の背面図である。
図２（ｂ）は、本考案に係る、開いた状態のグリップカバー具の平面図である。
図２（ｃ）は、本考案に係る、開いた状態のグリップカバー具の正面図である。
図２（ｄ）は、本考案に係る、開いた状態のグリップカバー具の底面図である。
［図３］
図３（ａ）は、本考案に係る、開いた状態のグリップカバー具の斜視図である。
図３（ｂ）は、本考案に係る、閉じた状態のグリップカバー具の斜視図である。
［図４］
図４（ａ）は、本考案に係る、開いた状態のグリップカバー具のＡ−Ａ断面図である。
図４（ｂ）は、本考案に係る、装着する寸前の、雄雌一対の留め具の一部拡大断面図である。
＊＊＊＊＊＊＊＊＊＊＊＊＊＊＊＊＊＊＊＊＊＊＊＊＊＊＊＊＊＊＊＊＊＊＊
以下、本考案に係る、グリップカバー具について、図面（図１〜４）を参照しながら説明する。
＊＊＊＊＊＊＊＊＊＊＊＊＊＊＊＊＊＊＊＊＊＊＊＊＊＊＊＊＊＊＊＊＊＊＊
本考案に係るグリップカバー具１００は、一対の半割カバー体Ｃ１、Ｃ２、蝶番部、及び雄雌一対の留め具Ｔ１、Ｔ２から構成されている（図１（ａ）〜（ｃ）、図２（ａ）〜（ｄ）、図３（ａ）〜（ｂ））。
○グリップカバー具１００において、一対の半割カバー体Ｃ１、Ｃ２は、それぞれ半割テーパ管の形状をしている（図２（ｂ）、図３（ａ）、図２（ｂ）、図４（ａ））。
一対の半割カバー体Ｃ１、Ｃ２は、蝶番部Ｈを介して開閉可能である（図２（ｂ）、図３（ａ）、図２（ｂ）、図４（ａ））。
雄雌一対の留め具Ｔ１、Ｔ２により、一対の半割カバー体Ｃ１、Ｃ２を、手でワンタッチで簡単に装着したり脱着したりすることが可能となる（図４（ｂ））。
雄留め具Ｔ１には系止突起Ｔｔ１が、雌留め具Ｔ２には系止穴Ｔｈ２が設けられていて、系止突起Ｔｔ１を系止穴Ｔｈ２に挿入することにより、一対の半割カバー体を、ワンタッチで簡単に装着したり脱着したりすることが可能になる。
一対の半割カバー体Ｃ１、Ｃ２の太い側の端部には、それぞれ蓋部Ｆ１、Ｆ２が設けられている（図３（ａ）、図３（ｂ））。一対の半割カバー体Ｃ１、Ｃ２の細い側の端部は、開口のままとなっている（図３（ａ））。
＊＊＊＊＊＊＊＊＊＊＊＊＊＊＊＊＊＊＊＊＊＊＊＊＊＊＊＊＊＊＊＊＊＊＊
○上記のグリップカバー具１００において、
一対の半割カバー体Ｃ１、Ｃ２の内側に、吸水シートＷＳを内張りしてあることにより、雨天のゴルフプレー時に、ボールを打った後、グリップカバーを再度装着することにより、雨天で濡れたグリップを瞬間的に乾かすことが可能となる。（図示せず。）。
＊＊＊＊＊＊＊＊＊＊＊＊＊＊＊＊＊＊＊＊＊＊＊＊＊＊＊＊＊＊＊＊＊＊＊
○上記のグリップカバー具１００において、
射出成形法により、一対の半割カバー体Ｃ１、Ｃ２、蝶番部Ｈ、及び雄雌一対の留め具Ｔ１、Ｔ２が、一体成形されている（図２（ｂ）、図３（ａ）、図２（ｂ）、図４（ａ））。
これにより、本願考案に係るグリップカバー具１００の構成要素である一対の半割カバー体Ｃ１、Ｃ２、蝶番部Ｈ、及び雄雌一対の留め具Ｔ１、Ｔ２をプラスチック材原料（ポリプロピレン）を用いた射出成形法を用いることにより、均質な品質と量産効果により、安価なグリップカバー具１００を提供することができた。
＊＊＊＊＊＊＊＊＊＊＊＊＊＊＊＊＊＊＊＊＊＊＊＊＊＊＊＊＊＊＊＊＊＊＊
○ 上記のグリップカバー具１００において、
一対の半割カバー体Ｃ１、Ｃ２の内側に、複数の補強リブ体Ｒが長手方向に沿って設けられている（図２（ｂ）、図３（ａ）、図２（ｂ）、図４（ａ））。
複数のリブは一対の半割カバー体の演習方向に均等に配置されることが補強効果が有効に発揮される点から望ましい。ただし、本考案は、これに限定されるものではない。
【図面の簡単な説明】
【０００７】
【図１】図１（ａ）は、本考案に係る、閉じた状態のグリップカバー具の平面図である。図１（ｂ）は、本考案に係る、閉じた状態のグリップカバー具の正面図である。図１（ｃ）は、本考案に係る、閉じた状態のグリップカバー具の底面図である。
【図２】図２（ａ）は、本考案に係る、開いた状態のグリップカバー具の背面図である。図２（ｂ）は、本考案に係る、開いた状態のグリップカバー具の平面図である。図２（ｃ）は、本考案に係る、開いた状態のグリップカバー具の正面図である。図２（ｄ）は、本考案に係る、開いた状態のグリップカバー具の底面図である。
【図３】図３（ａ）は、本考案に係る、開いた状態のグリップカバー具の斜視図である。図３（ｂ）は、本考案に係る、閉じた状態のグリップカバー具の斜視図である。
【図４】図４（ａ）は、本考案に係る、開いた状態のグリップカバー具のＡ−Ａ断面図である。図４（ａｂ）は、本考案に係る、装着する寸前の、雄雌一対の留め具の拡大図である。
【符号の説明】
【０００８】
１００        グリップカバー具
Ｃ１、Ｃ２    一対の半割りカバー体、半割りカバー体
Ｈ            蝶番部
Ｔ１          雄留め具
Ｔ２          雌留め具
Ｒ            リブ体
ＷＳ          吸水シート
Ｔｈ２        系止穴
Ｔｔ１        系止突起
Ｆ１、Ｆ２      蓋部
【図１】
0003155544.tif 000003
【図２】
0003155544.tif 000004
【図３】
0003155544.tif 000005
【図４】
0003155544.tif 000006